(57)【要約】【課題】高齢者が自転車走行時や歩行時に転んだ時に、膝、太もも、および腰部の損傷を防止することを可能とする。【解決手段】膝から太ももに至るロングサポーターは、伸縮性軟質生地から成り、左右対称に腿当て部、膝上当て部、および膝下当て部を形成し、各々の端面に面ファスナーを設ける。一方、ロングサポーターずれ防止腰部ベルトは、伸縮性軟質生地から成り、腰背骨中心部から左右対称な身体側部に沿った脇当て部を形成し、脇当て部先端にベルト部材を接合し、一方の先端に面ファスナーを設け、脇当て部の下部に面ファスナーを設ける。ロングサポーターを足に装着し、面ファスナーで係合して固定する。次いで、ロングサポーターずれ防止腰部ベルトを装着し、ベルト部材の面ファスナーで係合して固定する。さらに、ロングサポーターずれ防止腰部ベルトの脇当て部の下部の面ファスナーで、一対のロングサポーターの上部側面を係合して固定する。【選択図】図３
2008099766.tif 000002
【特許請求の範囲】
【請求項１】
伸縮性軟質生地で略逆台形を形成し、
中心線の上部から下部に向かって左右対称に、腿当て部、膝上当て部、および膝下当て部を形成し、
腿当て部は、太ももに巻き付けて重なる充分な長さであり、重なり部の一方の腿当て部の端面に面ファスナーを設け、腿当て部の下方に、切り込みを入れ、
膝上当て部は、腿当て部の下方の切り込みから丸みをもって、膝上に巻き付けて重なる充分な長さであり、重なり部の一方の膝上当て部の端面に面ファスナーを設け、膝上当て部の下方に、丸みをもった切り込みを入れ、
膝上当て部の下方に設けた丸みと、膝下当て部の上方に設けた丸みとで、膝頭が出るように凹部を形成し、その凹部の頂部に中心に向かって切り込みを入れ、切り込みの外方端部に糸ほつれ防止部材を逢着し、
膝下当て部は、前記凹部から丸みをもって、膝下に巻き付けて重なる充分な長さであり、重なり部の一方の膝下当て部の端面に面ファスナーを設けたことを特徴とする膝から太ももに至るロングサポーター。
【請求項２】
請求項１記載の膝から太ももに至るロングサポーターに対するずれ落ち防止腰部ベルトであって、
ロングサポーターずれ落ち防止腰部ベルトは、伸縮性軟質生地から成り、腰背骨中心部から左右対称な脇当て部を形成し、脇当て部は、腰背骨中心部の上部からなだらかな曲線をもって腰部から腹部を覆いベルト結合部に至り、また、腰背骨中心部の下部からなだらかな曲線をもって臀部から腰側面部に至り、身体側面で下方に延長し、突部を形成する脇当て下部を経て、腰側面部から腹部を覆いベルト結合部に至るものであり、
脇当て部のベルト結合部には、ベルト部材を逢着し、次いで、一方のベルト部材に面ファスナー１６を逢着し、
脇当て部の脇当て下部には、面ファスナーを逢着し、
脇当て部の腰背骨中心部を逢着し、その上に非伸縮性生地からなる腰当て部材を逢着し、また、脇当て部の中心部に、身体側面を保護する衝撃吸収クッションパッドを取り付けたことを特徴とするロングサポーターのずれ落ち防止腰部ベルト。
【請求項３】
伸縮性軟質生地で略逆台形を形成し、
中心線の上部から下部に向かって左右対称に腿当て部、膝上当て部、および膝下当て部を形成し、
腿当て部は、太ももに巻き付けて重なる充分な長さであり、重なり部の一方の腿当て部の端面に面ファスナーを設け、腿当て部の下方に、切り込みを入れ、
膝上当て部は、腿当て部の下方の切り込みから丸みをもって、膝上に巻き付けて重なる充分な長さであり、重なり部の一方の膝上当て部の端面に面ファスナーを設け、膝上当て部の下方に、丸みをもった切り込みを入れ、
膝上当て部の下方に設けた丸みと、膝下当て部の上方に設けた丸みとで、膝頭が出るように凹部を形成し、その凹部の頂部に中心に向かって切り込みを入れ、切り込みの外方端部に糸ほつれ防止部材を逢着し、
膝下当て部は、前記凹部から丸みをもって、膝下に巻き付けて重なる充分な長さであり、重なり部の一方の膝下当て部の端面に面ファスナーを設けた膝から太ももに至るロングサポーター、および、
伸縮性軟質生地から成り、腰背骨中心部から左右対称な脇当て部を形成し、脇当て部は、腰背骨中心部の上部からなだらかな曲線をもって腰部から腹部を覆いベルト結合部に至り、また、腰背骨中心部の下部からなだらかな曲線をもって臀部から腰側面部に至り、身体側面で下方に延長し、突部を形成する脇当て下部を経て、腰側面部から腹部を覆いベルト結合部に至るものであり、
脇当て部のベルト結合部には、ベルト部材を逢着し、次いで、一方のベルト部材に面ファスナー１６を逢着し、
脇当て部の脇当て下部には、面ファスナーを逢着し、
脇当て部の腰背骨中心部を逢着し、その上に非伸縮性生地からなる腰当て部材を逢着し、また、脇当て部の中心部に、身体側面を保護する衝撃吸収クッションパッドを取り付けたロングサポーターのずれ落ち防止腰部ベルトとの組合わせからなることを特徴とするロングサポーターおよびロングサポーターのずれ落ち防止腰部ベルト。
【発明の詳細な説明】
【技術分野】
【０００１】
本発明は、膝から太ももに至るロングサポーターおよびロングサポーターずれ防止腰部ベルトに関するものである。
【背景技術】
【０００２】
従来の膝サポータは、筒状ないし袖状にした布を膝部に挿通したり、比較的細い伸縮性の布帯を膝部に巻付けて締めつけ固定するものが知られている。例えば、膝関節部の上下に、太股部下部から脛部上部にかけて締めつけ固定して、関節痛の緩和や運動後の関節部位の疲労や痛みの治癒などに利用されており、種々の形式のものが知られている。
【特許文献１】特開２００２−３３０９８５号公報
【特許文献２】特開２００２−３４５８６５号公報
【特許文献３】特開２００３−１０２７５６号公報
【０００３】
しかし、前記膝サポータは日常生活において動く事により、ずれ落ちたり、まくれ上がる問題があった。
これらの欠点を改良するものとして、ゴムベルト等により強く固定した膝サポーターが提案されている。しかしながら、ゴムベルト等により強く固定すると、足の血液循環を阻害するおそれがある。
【特許文献４】特開２００３−１０２７５６号公報
【特許文献５】特開２００４−１６００７５号公報
【０００４】
一方、腰部安定と腰部の痛み緩和のために、腰部に巻きつけて固定する腰部ベルトが知られており、各種のものが提案されている。
【特許文献６】特開２００２−２３８９３２号公報
【特許文献７】特開２００２−３４５８６６号公報
【０００５】
また、腰部ベルトに、老人等が転倒により大腿骨を骨折することを予防するために、クッション材を装着することも提案されている。
【特許文献８】特開２００１−９５８２７号公報
【特許文献９】特開２００３−１１６８９６号公報
【０００６】
しかしながら、前記膝サポータおよび腰部ベルトは、関節痛の緩和や関節部位の疲労や痛みの治癒などを目的にするものがほとんどであり、健康な高齢者が自転車走行時や歩行時に転んだ時に、膝、太もも、および腰部の損傷を防止するには不適当であった。
【発明の開示】
【発明が解決しようとする課題】
【０００７】
解決しようとする問題点は、健康な高齢者が自転車走行時や歩行時に転んだ時に、膝、太もも、および腰部の損傷を防止する点である。
【課題を解決するための手段】
【０００８】
本発明は、膝から太ももに至るロングサポーターに対して、腰部ベルトの両側面に形成した脇当て部の下部に設けた面ファスナーにより、一対のロングサポーターの上部側面を係合して固定することを最も主要な特徴とする。
【発明の効果】
【０００９】
本発明のロングサポーターおよびロングサポーターずれ落ち防止腰部ベルトは、ロングサポーターに対して、腰部ベルトの両側面に形成した脇当て部の下部に設けた面ファスナーを係合するため、ロングサポーターのずれ落ちを防止することができるうえに、足の長さ等の個人差の調整をすることが可能であるという利点がある。
【発明を実施するための最良の形態】
【００１０】
健康な高齢者が自転車走行時や歩行時に転んだ時に、膝、太もも、および腰部の損傷を防止するという目的を、膝から太ももに至るロングサポーターに対して、腰部ベルトの両側面に形成した脇当て部の下部に設けた面ファスナーにより、左右一対のロングサポーターの上部側面を係合して固定するという簡単な構成で実現した。
【実施例１】
【００１１】
［膝から太ももに至るロングサポーター］
図１は、本発明に係る膝から太ももに至るロングサポーター１の１実施例の足に当たる裏面図であり、図２は、同じく表面図である。
膝から太ももに至るロングサポーター１は、圧縮ウレタン・ネオプレン・ナイロンジャージの３層積層材から成る伸縮性軟質生地であって、上部は太ももに巻き付けて重なる充分な長さであり、下部は膝下に巻き付けて重なる充分な長さの略逆台形の一枚布であって、中心線の上部から下部に向かって左右対称に、腿当て部２ａ、２ｂ、膝上当て部３ａ、３ｂ、および膝下当て部４ａ、４ｂを形成する。
【００１２】
腿当て部２ａ、２ｂは、太ももに巻き付けて重なる充分な長さであり、重なり部の一方の腿当て部２ａの端面に面ファスナー５を２個設け、腿当て部２ａ、２ｂの下方に、切り込みを入れる。
実施例１においては、一方の腿当て部２ａに中心線の上部からなだらかな凹部を形成している。この凹部により、腿当て部２ａ、２ｂの係合が楽になるうえに、太ももの太さによる個人差に対応できる。
【００１３】
膝上当て部３ａ、３ｂは、腿当て部２ａ、２ｂの下方の切り込みから丸みをもって、膝上に巻き付けて重なる充分な長さであり、重なり部の一方の膝上当て部３ａの端面に面ファスナー６を設け、膝上当て部３ａ、３ｂの下方に、丸みをもった切り込みを入れる。
【００１４】
膝上当て部３ａ、３ｂの下方に設けた丸みと、膝下当て部４ａ、４ｂの上方に設けた丸みとで、膝頭が出るように凹部を形成する。その凹部の頂部に中心に向かって切り込み７ａ、７ｂを入れ、切り込み７ａ、７ｂの端部に糸ほつれ防止部材８ａ、８ｂを逢着する。
切り込み７ａ、７ｂを設けたことにより、膝の屈伸が楽になる。
【００１５】
膝下当て部４ａ、４ｂは、前記凹部から丸みをもって、膝下に巻き付けて重なる充分な長さであり、重なり部の一方の膝下当て部４ａの端面に面ファスナー９を設ける。
実施例１においては、膝から太ももに至るロングサポーター１の中心線から左右対称の側面の長さよりも、中心線部分の長さの方を少し短くしている。こうすることにより、膝から太ももに至るロングサポーター１の装着が楽になる。
【００１６】
右足用および左足用は、それぞれ左右対称になっており、いずれも足の裏側から巻き付け、足の外側からの端面を下にして、内側からの端面の面ファスナーで、内側から外側に上方から係合して固定できるように形成する。
【００１７】
なお、実施例１は、伸縮性軟質生地として、圧縮ウレタン・ネオプレン・ナイロンジャージから成る３層積層材を使用したが、ナイロン・ポリウレタン混紡布等を２枚上下に重ね合わせて縫い合わせたものを使用しても良い。
また、膝から太ももに至るロングサポーター１は、腿当て部２ａ、２ｂ、膝上当て部３ａ、３ｂ、および膝下当て部４ａ、４ｂが有れば良いので、その形状は略逆台形に限られるものではないことは当然である。
また、腿当て部２ａ上部の凹部の形成や、膝下当て部４ａ、４ｂの中心線部分を短くしたことは、必要がなければ無くしても良いことも当然である。
さらに、腿当て部２ａ、２ｂには面ファスナー５を２個設けたが、これに限られるものではなく、３個設けてもよく、要は腿当て部２ａ、２ｂがしっかりと固定できれば良いので、任意に変更ができるものである。
そのうえ、通気性をよくするために、強度の許す範囲で、伸縮性軟質生地に多数の小孔を形成しても良い。
【実施例２】
【００１８】
［ロングサポーターずれ落ち防止腰部ベルト］
図３は、本発明に係るロングサポーターずれ落ち防止腰部ベルト１０の１実施例の腰に当たる裏面図であり、図４は、同じく表面図である。
ロングサポーターずれ落ち防止腰部ベルト１０は、圧縮ウレタン・ネオプレン・ナイロンジャージからなる３層積層材から成る伸縮性軟質生地であって、腰背骨中心部１１から左右対称に２枚の脇当て部１２ａ、１２ｂを形成する。
【００１９】
脇当て部１２ａ、１２ｂは、腰背骨中心部１１の上部からなだらかな曲線をもって腰部から腹部を覆いベルト結合部１３ａ、１３ｂに至り、また、腰背骨中心部１１の下部からなだらかな曲線をもって臀部から腰側面部に至り、身体側面で下方に延長し、太もも部に突部を形成する脇当て下部１４ａ、１４ｂを経て、腰側面部から腹部を覆いベルト結合部１３ａ、１３ｂに至るものである。
【００２０】
脇当て部１２ａ、１２ｂのベルト結合部１３ａ、１３ｂには、ベルト部材１５ａ、１５ｂを逢着する。次いで、一方のベルト部材１５ａには、面ファスナー１６を逢着する。
また、脇当て部１２ａ、１２ｂの脇当て下部１４ａ、１４ｂには、面ファスナー１７ａ、１７ｂを逢着する。
【００２１】
２枚の脇当て部１２ａ、１２ｂの腰背骨中心部１１を逢着し、その上に非伸縮性生地からなる腰当て部材１８を逢着する。
そして、脇当て部１２ａ、１２ｂの中心部に、身体側面を保護する衝撃吸収クッションパッド１９ａ、１９ｂを取り付ける。
実施例１において、衝撃吸収クッションパッド１９ａ、１９ｂは、圧縮ウレタン・ネオプレン・ナイロンジャージからなる３層積層材を使用した。
【００２２】
なお、実施例２は、伸縮性軟質生地として、圧縮ウレタン・ネオプレン・ナイロンジャージから成る３層積層材を使用したが、これに変えて、ナイロン・ポリウレタン混紡布等を２枚上下に重ね合わせて、その中に衝撃吸収クッションパッド１９ａ、１９ｂを縫い合わせたものを使用しても良い。
また、衝撃吸収クッションパッド１９ａ、１９ｂは圧縮ウレタン・ネオプレン・ナイロンジャージからなる３層積層材に限られるものではなく、他の周知の衝撃吸収クッションパッドを使用しても良いことは当然である。
【実施例３】
【００２３】
［膝から太ももに至るロングサポーターとロングサポーターずれ落ち防止腰部ベルトとを係合して装着］
実施例１の膝から太ももに至るロングサポーター１を、両足の膝裏側、太もも裏側から膝頭が出るように巻き付け、足の外側からの端面を下にして、次いで、内側からの端面の面ファスナー５、６、９で上から係合して、内側から外側に止めて固定する。
次に、ロングサポーターずれ落ち防止腰部ベルト１０を腰に巻き付けて、腹部において面ファスナー１６で係合して固定する。
そして、脇当て下部１４ａ、１４ｂの面ファスナー１７ａ、１７ｂで、左右一対のロングサポーター１の上部側面に係合して固定する。
前記装着状態の正面からの外観を図５に、背面からの外観を図６に示す。
【産業上の利用可能性】
【００２４】
膝から太ももに至るロングサポーターとロングサポーターずれ防止腰部ベルトとの面ファスナーを用いて容易に上下の係合ができ、また、面ファスナーを取り外し自在にすることによって、両者の単独使用にも適用できる。
【図面の簡単な説明】
【００２５】
【図１】膝から太ももに至るロングサポーターの足に当たる裏面図である。（実施例１）
【図２】膝から太ももに至るロングサポーターの表面図である。（実施例１）
【図３】ロングサポーターずれ防止腰部ベルトの腰に当たる裏面図である。（実施例２）
【図４】ロングサポーターずれ防止腰部ベルトの表面図である。（実施例２）
【図５】膝から太ももに至るロングサポーターとロングサポーターずれ防止腰部ベルトとの装着状態を示す正面図である。（実施例３）
【図６】膝から太ももに至るロングサポーターとロングサポーターずれ防止腰部ベルトとの装着状態を示す背面図である。（実施例３）
【符号の説明】
【００２６】
１              膝から太ももに至るロングサポーター
２ａ、２ｂ      腿当て部
３ａ、３ｂ      膝上当て部
４ａ、４ｂ      膝下当て部
５、６          面ファスナー
７ａ、７ｂ      切り込み
８ａ、８ｂ      糸ほつれ防止部材
９              面ファスナー
１０            ロングサポーターずれ落ち防止腰部ベルト
１１            腰背骨中心部
１２ａ、１２ｂ  脇当て部
１３ａ、１３ｂ  ベルト結合部
１４ａ、１４ｂ  脇当て下部
１５ａ、１５ｂ  ベルト部材
１６            面ファスナー
１７ａ、１７ｂ  面ファスナー
１８            腰当て部材
１９ａ、１９ｂ  衝撃吸収クッションパッド
【図１】
2008099766.tif 000003
【図２】
2008099766.tif 000004
【図３】
2008099766.tif 000005
【図４】
2008099766.tif 000006
【図５】
2008099766.tif 000007
【図６】
2008099766.tif 000008